(57)【要約】【課題】所定時間周囲を冷却させることのできる保冷体を収納するための袋体からなる保冷マットであって、保冷体の出し入れ作業を常に円滑かつ迅速に行なうことができ、しかも、複数の保冷体を収納する場合にも適用可能であり、さらに、水分が外部に漏れ出ることのない保冷マットを提供する。【解決手段】保冷マット１は、アルミシートを含む多層構造の可撓性シートを袋状に形成してなる、開口部３を有する袋体として作製されている。当該袋体の内側の少なくとも一方の面には、保冷体２を収納するための少なくとも１つ以上のポケット部４が設けられている。ポケット部４は、好ましくは、アルミシートの上に積層して設けられる。【選択図】    図１
2004173513.tif 000002
【特許請求の範囲】
【請求項１】
保冷性能を有する保冷体を出し入れするための開口部を有する袋体からなる保冷マットにおいて、前記袋体の内側の面には、前記保冷体を収納するための少なくとも１つ以上のポケット部が設けられていることを特徴とする保冷マット。
【請求項２】
前記袋体は、アルミシートを含む多層構造の可撓性シートを袋状に形成してなる請求項１に記載の保冷マット。
【請求項３】
前記袋体は、表面部分を形成するための第一の可撓性シートと、裏面部分を形成するための第二の可撓性シートとを重ね合わせてなる扁平な形状を有しており、
前記第一の可撓性シートは、前記袋体の内側の面を形成させるためのアルミシートを有し、
前記第二の可撓性シートは、前記ポケット部をアルミシートの上に積層させてなる構造部分を有する請求項２に記載の保冷マット。
【請求項４】
請求項１に記載の保冷マットと、保冷性能を有する保冷体と、前記保冷マットの前記ポケット部の中に収納されかつ前記保冷体を収納するためのアルミシートからなる外袋とを含むことを特徴とする保冷用品。
【発明の詳細な説明】
【０００１】
【発明の属する技術分野】
本発明は、夏場等の温度の高い時期において、犬や猫等のペットを横臥させて涼感を与えるための保冷用品およびその構成部分である袋状の保冷マットに関する。
【０００２】
【従来の技術】
従来より、保冷体を保冷マット内に収納してなる保冷用品の上に、ペットを横臥させて涼感を与えることが知られている。
例えば、特許文献１には、蓄熱体を収容する収容体からなり、該収容体の一面から前記蓄熱体までの厚み寸法と、前記収容体の他面から前記蓄熱体までの厚み寸法とを異なる寸法に設定したことを特徴とするペット用クールマットが記載されている。
また、特許文献１には、上述のペット用クールマットにおいて、前記収容体を、前記蓄熱体が出し入れされる開口部を有した袋状に形成するとともに、該収容体の中央部に前記蓄熱体を位置決めする位置決め部を形成し、該位置決め部とその周囲部とを区画することが記載されている。
一方、特許文献２には、表面側が通気性素材からなるシート、裏面側がアルミ蒸着フィルムで構成された包装材内に、吸水性ポリマーが充填されてなることを特徴とするペット用クーラーマットが記載されている。
【０００３】
【特許文献１】
登録実用新案公報第３０８０８６８号公報（第２頁の特許請求の範囲の請求項１、請求項６、第２〜３頁の図１〜図３、第７頁の段落番号００２７）
【特許文献２】
特許第２９３４６４０号公報（第１頁の特許請求の範囲の請求項１〜４、第３頁の図２）
【０００４】
【発明が解決しようとする課題】
上述のとおり、特許文献１には、蓄熱体を収容する収容体に、蓄熱体を位置決めするための位置決め部を形成させたペット用クールマットが記載されている。当該ペット用クールマットの位置決め部は、一面側の布体と他面側の布体とを縫製し接合することによって、当該ペット用クールマットの中央部を包囲するように形成されるものである。
しかしながら、特許文献１に記載のペット用クールマットにおいては、蓄熱体の厚さ寸法が大きい場合、収容体の中に当該蓄熱体を収容する際に、厚さ方向に窮屈になって蓄熱体の出し入れ作業をしづらいことがある。この点、蓄熱体の厚さ寸法が大きい場合であっても、収容体の中への蓄熱体の出し入れ作業を円滑に行なうことができれば、好都合である。
また、特許文献１のペット用クールマットにおいては、一面側の布体と他面側の布体との接合部（縫い目の部分）を通して、ペット用クールマット内の水分が外部に漏れ出てしまうおそれがある。
【０００５】
また、特許文献１の技術では、ペット用クールマットの外形寸法を大きくして、複数の蓄熱体を収納可能にすることが想定されていない。この点、複数の蓄熱体を収納することができれば、大型の犬等のペットにも十分な涼感を与えることができ、好ましい。
一方、特許文献２では、保冷効果の維持のためにアルミ蒸着フィルムを使用すること等が記載されているものの、ペット用クーラーマットの構造としては、吸水性ポリマーを充填した包装材を、通気性素材からなる外包材内に収納してなるものが記載されているだけである。
したがって、本発明は、所定時間周囲を冷却させることのできる保冷体を収納するための袋体からなる保冷マットであって、保冷体の出し入れ作業を常に円滑かつ迅速に行なうことができ、しかも、複数の保冷体を収納する場合にも適用可能であり、さらに、水分が外部に漏れ出ることのない保冷マットを提供することを目的とする。
【０００６】
【課題を解決するための手段】
本発明者は、上記課題を解決するために鋭意検討した結果、保冷性能を有する保冷体を出し入れするための開口部を有する袋体からなる保冷マットに対して、その内側の少なくとも片面に、１つ以上のポケット部を設ければ、従来の保冷マットと比べて、保冷体の出し入れ作業を常に円滑かつ迅速に行なうことができ、かつ、保冷マットの大型化にも対処し得ることに想到し、本発明を完成した。
【０００７】
すなわち、本発明（請求項１）の保冷マットは、保冷性能を有する保冷体を出し入れするための開口部を有する袋体からなる保冷マットにおいて、前記袋体の内側の面には、前記保冷体を収納するための少なくとも１つ以上のポケット部が設けられていることを特徴とする。
このように構成すれば、保冷マットの内側の面に設けられるポケット部の形状および大きさを、保冷体の形状等を考慮して適宜定めることによって、保冷体の出し入れ作業を常に円滑かつ迅速に行なうことができる。
また、保冷マットを大型化したり、あるいは形状を変えた場合であっても、保冷マットの内側の面を複数の区画に分けて、各々の区画毎にポケット部を設ければ、種々の保冷体を複数収容することができる。
さらに、保冷マット内の水分が外部に漏れ出るおそれもない。
【０００８】
前記保冷マットにおいて、前記袋体は、アルミシートを含む多層構造の可撓性シートを袋状に形成してなるものとして作製することができる（請求項２）。
このように、アルミシートを含む多層構造の可撓性シートを用いて、保冷マットを作製することによって、保冷体による保冷効果を長く持続させることができ、かつ、アルミシートよりも外方（外部の空間に向かう側）に位置する構造部分における結露を防止することができる。
【０００９】
前記保冷マットは、前記袋体が、表面部分を形成するための第一の可撓性シートと、裏面部分を形成するための第二の可撓性シートとを重ね合わせてなる扁平な形状を有しており、前記第一の可撓性シートが、前記袋体の内側の面を形成させるためのアルミシートを有し、前記第二の可撓性シートが、前記ポケット部をアルミシートの上に積層させてなる構造部分を有するように構成することができる（請求項３）。
このように構成すれば、アルミシートを含む多層構造の可撓性シートの内部において結露が生じ難くなり、当該可撓性シートを構成する材料の劣化や、細菌の繁殖等を抑制することができる。
【００１０】
本発明の保冷用品（請求項４）は、前記保冷マット（請求項１）と、保冷性能を有する保冷体と、前記保冷マットの前記ポケット部の中に収納されかつ前記保冷体を収納するためのアルミシートからなる外袋とを含むことを特徴とする。
このように構成すれば、保冷体による保冷効果を長く持続させることができる。
【００１１】
【発明の実施の形態】
以下、本発明の保冷マットおよびそれを含む保冷用品を、図面に基づいて詳しく説明する。
図１は、本発明の保冷マットの一例を示す斜視図、図２は、図１中のＡ−Ａ線で切断した状態を示す模式的な断面図、図３は、本発明の保冷マットの他の例を示す斜視図、図４は、図３中のＢ−Ｂ線で切断した状態を示す模式的な断面図、図５は、本発明の保冷マットのポケット部の種々の例を示す斜視図である。
【００１２】
本発明の保冷マット１は、図１および図２に示すように、第一の可撓性シート５と第二の可撓性シート６を対向させて重ね合わせ、周縁部分のみを部分的に固着させて開口部３を設けた袋状の形態を有するものである。
第一の可撓性シート５は、図２に示すように、保冷マット１の外表面の側から順に、外側シート７、緩衝用シート８、アルミシート９を積層させてなる。
このうち、外側シート７の材質としては、例えば、ポリ塩化ビニル（ＰＶＣ）をコーティングしたナイロン等の繊維を用いることができる。
【００１３】
緩衝用シート８の材質としては、例えば、ポリウレタンフォーム等の弾性を有する材料を用いることができる。
緩衝用シート８の厚さは、特に限定されないが、例えば、５〜２０ｍｍである。
緩衝用シート８は、外側シート７およびアルミシート９に対して面を密着させて固着させる必要はなく、外側シート７とアルミシート９の間で水平方向に移動して偏在することのないように、必要に応じて周縁部分のみを固着させるなどして、配置させればよい。
【００１４】
緩衝用シート８を配設することによって、ペットが保冷マット１の上に横臥したときに、適度の弾力性および安定性によってペットに好適な座り心地を与えることができる。また、保冷体２内に充填されているゲル状の保冷材が、ペットの体重によって偏在化するのを抑制することができる。さらに、ペットの爪が保冷マット１の中に食い込んだとしても、所定の厚さを有する緩衝用シート８によって保冷体２を保護することができる。
【００１５】
アルミシート９の材質としては、アルミニウム層を有するシートを形成し得るものであればよく、例えば、アルミニウム単体のシートの他、ナイロン等の繊維シートにアルミニウムを層状に蒸着させたもの等を用いることができる。
アルミシート９は、第一の可撓性シート５の最も内側の層を構成している。そのため、アルミシート９の外側に位置する緩衝用シート８や外側シート７における結露が生じ難くなり、これらシート７，８の劣化や、細菌の繁殖等を抑制することができる。
【００１６】
第二の可撓性シート６は、保冷マット１の外表面の側から順に、外側シート１０、緩衝用シート１１、アルミシート１２、ポケット部４を積層させてなる。
このうち、外側シート１０の材質としては、例えば、ナイロン等の合成繊維を用いることができる。
緩衝用シート１１の材質は、前述の緩衝用シート８と同様であり、例えば、ポリウレタンフォーム等の弾性を有する材料を用いることができる。
緩衝用シート１１の厚さは、特に限定されないが、例えば、３〜１５ｍｍである。なお、緩衝用シート１１の厚さは、ペットの座り心地等の観点から、緩衝用シート８の厚さよりも小さくなるように定めることが望ましい。
【００１７】
緩衝用シート１１は、緩衝用シート８と同様に、外側シート１０およびアルミシート１２に対して面を密着させて固着させる必要はなく、外側シート１０とアルミシート１２の間で水平方向に移動して偏在することのないように、必要に応じて周縁部分のみを固着させるなどして、配置させればよい。
アルミシート１２の材質は、前述のアルミシート９と同様である。
【００１８】
ポケット部４は、アルミシート１２の上に配置された基層シート４ａと、基層シート４ａの上に周縁を部分的に固着させて配置された表層シート４ｂとによって構成されている。すなわち、アルミシート１２の形状に略合致させて形成された基層シート４ａに対し、基層シート４ａの面の一部に対応する形状および大きさを有する表層シート４ｂを重ね合わせ、表層シート４ｂの周縁のうち、一辺を除く部分を基層シート４ａに縫着することによって、開口部４ｃを有するポケット状のポケット部４が形成されている。
ポケット部４の形状は、保冷体２を内部に収納した際に、保冷体２の移動を抑制することのできるように、保冷体２の形状に合わせて定められる。
【００１９】
なお、保冷体２の厚さ寸法が大きい場合には、ポケット部４の表層シート４ｂは、厚さ方向（鉛直方向）に延びるように形成された水平断面がコの字形の３面の垂直壁と、これら垂直壁の上端に形成された天井部分である水平壁とを備えたものとして形成することができる。この場合、垂直壁の高さ寸法は、保冷体２の厚さ寸法よりも若干大きくなるように定められる。
ポケット部４の材質としては、例えば、タフタ等の合成繊維を用いることができる。
ポケット部４は、例えば、図５に示すような種々の形態をとることができる。
【００２０】
図５中の（ａ）に示すポケット部４は、保冷体２を１つだけ収納するように形成されている。この場合、ポケット部４は、その開口部４ｃの位置する側が、保冷マット１の開口部３の側となるように、保冷マット１に配設される。なお、図３中の点線部分は、縫着された箇所を示す。
図５中の（ｂ）に示すポケット部４は、保冷体２を２つ収納するように形成されている。この場合においても、ポケット部４は、その開口部４ｃの位置する側が、保冷マット１の開口部３の側となるように、保冷マット１に配設される。
【００２１】
図５中の（ｃ）に示すポケット部４は、保冷体２を４つ収納するように形成されている。ポケット部４の開口部４ｃは、内側に向かって互いに対向するように設けられている。この場合、ポケット部４は、４つの開口部４ｃの間に形成された長方形の帯状の基層シート４ａの部分が、保冷マット１の開口部３に対して垂直になるように、保冷マット１に配設される。本発明では、このようにポケット部４が複数設けられている場合においても、複数の保冷体２を円滑かつ迅速に保冷マット１内に収納することができる。
【００２２】
ポケット部４は、保冷マット１の内側の２つの面の両方に設けてもよい。この場合、図２に示す構造において、第一の可撓性シート５の代わりに、第二の可撓性シート６を用いることになる。このように構成すれば、保冷マット１内に収納される単位面積当たりの保冷材の量を２倍に増大させることができ、保冷性能を高めることができる。
【００２３】
保冷マット１の開口部３は、保冷マット１の一辺のほぼ全体に亘って直線状に形成されている。また、開口部３は、開閉自在に構成されていることが好ましく、この場合の開閉手段としては、例えば、図１に示すようにファスナーが用いられる。
【００２４】
保冷マット１の中に収納される保冷体２としては、例えば、ポリアクリル酸ソーダの如き吸水性ポリマーを、ナイロンポリエチレン等の合成樹脂製の袋内に入れた後、この袋内に所定量の水を加え、次いで、この袋を密閉して冷凍庫内で所定時間、冷凍させたものが用いられる。
【００２５】
次に、本発明の保冷マットの他の例を含む保冷用品を説明する。
保冷用品は、図３に示すように、保冷マット２０と、保冷体２と、アルミシートからなる外袋１３とによって構成されている。
保冷マット２０は、図３および図４に示すように、第一の可撓性シート２１と第二の可撓性シート２２を対向させて重ね合わせ、周縁部分のみを部分的に固着させて開口部３を設けた袋状の形態を有するものである。
【００２６】
第一の可撓性シート２１は、図４に示すように、保冷マット１の外表面の側から順に、外側シート７、緩衝用シート８、内側シート２３を積層させてなる。
このうち、外側シート７および緩衝用シート８は、前述の図１および図２に示す第一の可撓性シート５におけるものと同様に構成されている。
内側シート２３は、例えば、タフタ等の合成繊維によって形成されている。
第二の可撓性シート２２は、保冷マット１の外表面の側から順に、外側シート１０、緩衝用シート１１、ポケット部４を積層させてなる。
これら外側シート１０、緩衝用シート１１およびポケット部４は、各々、前述の図１および図２に示す第一の可撓性シート５におけるものと同様に構成されている。
【００２７】
保冷体２は、アルミシートからなる外袋１３に収納された後、外袋１３と共に保冷マット２０のポケット部４に収納される。
アルミシートからなる外袋１３は、開口部を有する袋状に形成されており、アルミシート単独で構成してもよいし、他の材質からなる１つ以上のシートと積層させて構成してもよい。外袋１３を形成するアルミシートの材質としては、アルミニウム層を有するシートを形成し得るものであればよく、例えば、アルミニウム単体のシートの他、ナイロン等の繊維シートにアルミニウムを層状に蒸着させたもの等を用いることができる。
【００２８】
図３に示す保冷用品においても、保冷体２を含む外袋１３を収納した保冷マット２０の使用時において、第一の可撓性シート２１および第二の可撓性シート２２の内部における結露が生じ難く、これら可撓性シート２０，２１を構成する緩衝シート８，１１等の劣化や、細菌の繁殖等を抑制することができる。
【００２９】
【発明の効果】
本発明の保冷マットによれば、袋状に形成された当該保冷マットの内側の少なくとも１つの面に、少なくとも１つ以上のポケット部を形成させることによって、冷却性能を有する保冷体の出し入れ作業を常に円滑かつ迅速に行なうことができる。
また、本発明においては、保冷体の収納手段としてポケット部を採用しているので、このポケット部の形状、大きさおよび個数を種々変更することによって、保冷マットの大型化や形状変更等を図ることができる。
さらに、本発明の保冷マットにおいては、保冷マット内の水分が外部に漏れ出るおそれがなく、常に良好な状態で使用することができる。
【図面の簡単な説明】
【図１】本発明の保冷マットの一例を示す斜視図である。
【図２】図１中のＡ−Ａ線で切断した状態を示す模式的な断面図である。
【図３】本発明の保冷マットの他の例を示す斜視図である。
【図４】図３中のＢ−Ｂ線で切断した状態を示す模式的な断面図である。
【図５】本発明の保冷マットのポケット部の種々の例を示す斜視図である。
【符号の説明】
１，２０  保冷マット（袋体）
２  保冷体
３  開口部
４  ポケット部
４ａ  基層シート
４ｂ  表層シート
４ｃ  開口部
５，２１  第一の可撓性シート
６，２２  第二の可撓性シート
７，１０  外側シート
８，１１  緩衝シート
９，１２  アルミシート
１３  アルミシートからなる外袋
２３  内側シート
【図１】
2004173513.tif 000003
【図２】
2004173513.tif 000004
【図３】
2004173513.tif 000005
【図４】
2004173513.tif 000006
【図５】
2004173513.tif 000007